(57)【要約】      （修正有）【課題】予めホームページにおいて、複数の雑誌の存在をアクセス可能なホームページにて公開することによって、購読予定者に雑誌を選択させたうえで、当該選択された雑誌を出版社からホームページ開設者を介して配送するために必要な事務処理を自動的に遂行することを可能とするシステムの構成を提供すること。【解決手段】複数個の雑誌名又は当該雑誌名に併記された雑誌の識別符号、及び購入代金を配列したホームページ１を開設したうえで、購読予定者が当該ホームページ開設者におけるコンピュータ２２に対し、雑誌名又は識別記号、及び購読予定者の氏名又は名称を送達する第１のステップ、コンピュータ２３によって入金の有無、及び金額の同一性を検索する第２のステップ、入金後、出版社におけるコンピュータ２４に対し、雑誌の購読を行う旨の信号を送達する第３のステップからなる雑誌購読の自動購読システム。【選択図】図１
2006164235.tif 000002
【特許請求の範囲】
【請求項１】
複数個の雑誌名又は当該雑誌名に併記された雑誌の識別符号、及び購入代金を配列したホームページを開設したうえで、購読予定者が当該ホームページ開設者におけるコンピュータに対し、Ｅ−メールによって選択した雑誌名又は識別記号、及び購読予定者の氏名又は名称を送達する第１のステップ、当該ホームページ開設者が特定の金融機関に開設した預金口座又は貯金口座において、前記コンピュータと当該口座を統括しているコンピュータとの協働に基づき、前記第１のステップによって送達された氏名又は名称と同一氏名又は同一名称を有する者が入金を行った事実、及び入金金額を検索する第２のステップ、検索の結果、購入代金額と同一の入金の事実が行われたことを前記ホームページ開設者におけるコンピュータが確認した場合に、前記雑誌名又は前記識別符号に対応する雑誌の出版社におけるコンピュータに対し、ホームページ開設者において識別符号に対応する雑誌の購読を行う旨の信号を送達する第３のステップからなる雑誌購読の自動購読システム。
【請求項２】
第１のステップにおいて、購読予定者が雑誌名又は識別符号と共に氏名又は名称を送達する際、前記氏名又は名称につき、カタカナ表示を採用するか、又は前記送達の後、ホームページ開設者におけるコンピュータが、送達された氏名又は名称につきカタカナ変換を行ったうえで、第２のステップとして前記開設者におけるコンピュータが預金口座又は貯金口座を統括しているコンピュータに対し、口座番号、第１のステップによる送達が行われた日を基準とする起算点となる日、カタカナ表示による氏名に関する信号、更には前記口座における検索を行うべき旨の信号を送達したことに基づき、前記口座を統括しているコンピュータが、当該口座において前記起算日以後前記カタカナによる氏名又は名称の表示を有する者による入金処理の欄の存否を検索し、当該検索の結果をホームページ開設者におけるコンピュータに送達することを特徴とする請求項１記載の雑誌購読の自動処理システム。
【請求項３】
第１のステップにおいて、購読予定者が雑誌名又は識別符号と共に氏名又は名称を送達する際、前記氏名又は名称につき、カタカナ表示を採用するか、又は前記送達の後、ホームページ開設者におけるコンピュータが、送達された氏名又は名称につきカタカナ変換を行ったうえで、第２のステップとして前記開設者におけるコンピュータが預金口座又は貯金口座を統括しているコンピュータに対し、口座番号、第１のステップによる送達が行われた日を基準とする起算点となる日に関する信号を送達することに基づき、前記口座を統括しているコンピュータが、ホームページ開設者におけるコンピュータに対し、前記口座において当該起算日以降の各欄に関する画像表示信号を送達したことに基づき、前記ホームページの開設者におけるコンピュータが、前記画像信号を文字信号に変換したうえで、当該口座において前記起算日以後前記カタカナによる氏名又は名称の表示を有する者による入金処理の欄の存否を検索することを特徴とする請求項１記載の雑誌購読の自動処理システム。
【請求項４】
複数個の雑誌名又は当該雑誌名に併記された雑誌の識別符号、及び購入代金を配列したホームページを開設したうえで、購読予定者が当該ホームページ開設者におけるコンピュータに対し、Ｅ−メールによって選択した雑誌名又は識別記号、及び購読予定者の氏名又は名称を送達する第１のステップ、購読予定者から前記購入代金に関する送金伝票の画像表示信号を前記ホームページ開設者におけるコンピュータに対し送達したことに基づき、当該画像信号を文字信号に変換したうえで、氏名及び購入代金額と入金した金額との同一性を検索する第２のステップ、検索の結果、氏名又は名称の同一性、及び金額の同一性を前記コンピュータが確認した場合に、前記雑誌名又は前記識別符号に対応する雑誌の出版社におけるコンピュータに対し、ホームページ開設者において識別符号に対応する雑誌の購読を行う旨の信号を送達する第３のステップからなる雑誌購読の自動処理システム。
【請求項５】
第３のステップの後、ホームページ開設者におけるコンピュータが、預金口座又は貯金口座を統括しているコンピュータに対し、ホームページに掲載されている金額による金員を出版社が設定している預金口座又は貯金口座に入金すべき旨の信号を送達するステップを付加していることを特徴とする請求項１、４記載の雑誌購読の自動処理システム。
【請求項６】
ホームページにおいて、雑誌名又は当該雑誌名に併記された識別符号、及び購入代金に対応して購入回数の単位が配列されていることを特徴とする請求項１、４記載の雑誌購読の自動処理システム。
【請求項７】
雑誌の表面の画像表示と一体をなして雑誌名をホームページにおいて配列していることを特徴とする請求項１、４記載の雑誌購読の自動処理システム。
【請求項８】
ホームページにおいて、各雑誌の名称表示部分に対応して、当該雑誌の内容の要約表示部分を掲載していることを特徴とする請求項１、４記載の雑誌の自動販売システム。
【請求項９】
ホームページ開設者において、第３のステップの後に、第１のステップによって選択された雑誌の表紙、各ページについて、画像スキャニングしたことによる映像信号をＥ−メールによって購読予定者のコンピュータに対し、送達するステップを付加したことを特徴とする請求項１、４記載の雑誌購読の自動販売システム。
【発明の詳細な説明】
【技術分野】
【０００１】
本発明は、ホームページにおいて、複数の雑誌名を掲載したうえで、購読予定者に特定の雑誌を選択したうえで（但し、選択においては、単数の雑誌の場合と複数の雑誌の場合との双方があり得る。）、ホームページ開設者が当該選択に基づいて、雑誌の購読に必要な事務処理を自動的に遂行することを可能とする雑誌購読の自動処理システムに関するものである。
【背景技術】
【０００２】
近年、Ｅ−メール通信に基づく情報処理の発達は著しいが、雑誌は情報メディアの一大領域を形成しているにも拘らず、雑誌の購読については、従前と同じように、店頭における販売、又は精々電話又はファクシミリによる購読の送達によって、通常の送付が行われているに過ぎない。
【０００３】
しかしながら、このような従来の購読方式では、購読予定者においては、複数の色々な雑誌の存在を知ったうえで、所定の雑誌を選択したうえで、所定の機関に雑誌の購読申込を行い、その後、自動的に当該申込に対応した雑誌の送付を可能とするようなシステムは、これまで開拓されていない。
【０００４】
因みに、雑誌の購読に関しては、例えば特許公表２０００−５０１２１４号において、書籍、雑誌、新聞などを選択したうえで、自ら電子情報としてこれらの内容をキャッチし得るパーソナル電子ブックシステムが開示されているに過ぎず、他方、特許公表２００３−５２１０２３号においては、精々予め方向付けられた公告を伴う電子書籍について購読予定者に選択させたうえで、一定の配送を行うシステムが開示されているに過ぎない。
【０００５】
【特許文献１】特許公表２０００−５０１２１４号公報。
【特許文献２】特許公表２００３−５２１０２３号公報。
【発明の開示】
【発明が解決しようとする課題】
【０００６】
本発明は、予めホームページにおいて、複数の雑誌の存在をアクセス可能なホームページにて公開することによって、購読予定者に雑誌を選択させたうえで、Ｅ−メール通信機構に立脚したうえで、当該選択された雑誌を出版社からホームページ開設者を介して配送するために必要な事務処理を自動的に遂行することを可能とするシステムの構成を提供することを課題としている。
【課題を解決するための手段】
【０００７】
上記課題を解決するため、本発明の基本構成は、
（１）複数個の雑誌名又は当該雑誌名に併記された雑誌の識別符号、及び購入代金を配列したホームページを開設したうえで、購読予定者が当該ホームページ開設者におけるコンピュータに対し、Ｅ−メールによって選択した雑誌名又は識別記号、及び購読予定者の氏名又は名称を送達する第１のステップ、当該ホームページ開設者が特定の金融機関に開設した預金口座又は貯金口座において、前記コンピュータと当該口座を統括しているコンピュータとの協働に基づき、前記第１のステップによって送達された氏名又は名称と同一氏名又は同一名称を有する者が入金を行った事実、及び入金金額を検索する第２のステップ、検索の結果、購入代金額と同一の入金の事実が行われたことを前記ホームページ開設者におけるコンピュータが確認した場合に、前記雑誌名又は前記識別符号に対応する雑誌の出版社におけるコンピュータに対し、ホームページ開設者において識別符号に対応する雑誌の購読を行う旨の信号を送達する第３のステップからなる雑誌購読の自動購読システム、
（２）複数個の雑誌名又は当該雑誌名に併記された雑誌の識別符号、及び購入代金を配列したホームページを開設したうえで、購読予定者が当該ホームページ開設者におけるコンピュータに対し、Ｅ−メールによって選択した雑誌名又は識別記号、及び購読予定者の氏名又は名称を送達する第１のステップ、購読予定者から前記購入代金に関する送金伝票の画像表示信号を前記ホームページ開設者におけるコンピュータに対し送達したことに基づき、当該画像信号を文字信号に変換したうえで、氏名及び購入代金額と入金した金額との同一性を検索する第２のステップ、検索の結果、氏名又は名称の同一性、及び金額の同一性を前記コンピュータが確認した場合に、前記雑誌名又は前記識別符号に対応する雑誌の出版社におけるコンピュータに対し、ホームページ開設者において識別符号に対応する雑誌の購読を行う旨の信号を送達する第３のステップからなる雑誌購読の自動処理システム、
からなる。
【発明の効果】
【０００８】
前記基本構成による本発明においては、雑誌購読予定者は、単にＥ−メールによって、自らの氏名、又は名称及び雑誌の名称、又は当該雑誌名に併記された雑誌の識別符号を送付し、かつ予め指定された預金口座又は貯金講座に対し、定められた購読代金に対応する金員の入金を行うこと（前記（１）の構成の場合）、又は前記入金に加えて、当該入金の事実を知らせること（前記（２）の構成の場合）によって、自動的に雑誌の購読を行い、特にホームページにおいて識別符号、及び購読代金に対応した購読回数が特定している場合には、当該購読回数に応じて購読を継続することが可能となる。
【発明を実施するための最良の形態】
【０００９】
図１及び図２は、前記（１）、（２）の基本構成に対応するブロック図をそれぞれ示すが、本発明は、Ｅ−メール送達機構に立脚しており、図３に示すように、複数個の雑誌名１１、かつ購読申込の際使用する識別符号１２、購読代金１４などを掲載したホームページ１を開設したうえで、
１  購読予定者が、ホームページ開設者に対し、自己の氏名又は名称、雑誌名又は識別符号のＥ−メールによる送達を行う第１のステップ、
２（１）ホームページ開設者におけるコンピュータ２２が、預金口座又は貯金口座を統括しているコンピュータ２３との信号の交換によって、前記１の購読予定者からの購入代金額と同一の金額による入金の有無を検索する第２のステップ（前記（１）の基本構成の場合）、
（２）前記１の購読予定者からの入金伝票に関する画像情報の送達によって、購入代金額と同一の金額による入金の事実を知らせる第２のステップ（前記（２）の基本構成の場合）、
３  前記２の入金をホームページ開設者におけるコンピュータ２２が確認した後に、選択された雑誌の出版社におけるコンピュータ２４に対し、選択された雑誌名１１をＥ−メールにて送達する第３のステップ、
を骨子としている。
尚、図３においては、識別符号１２を掲載している実施形態を示すが、前記（１）、（２）による基本構成からも明らかなように、雑誌名１１の掲載のみの実施形態は、当然選択可能である。
そして、雑誌名のみが掲載されている場合には、購読予定者が選択する雑誌名をホームページ開設者のコンピュータ２２に選択した雑誌名を送達した場合には、当該コンピュータ２２は、自ら各雑誌名に対応する識別符号及び当該識別符号に対応する購入金額を予め記録したうえで、前記第２及び第３のステップを講ずると良い（識別符号の方が、前記第２のステップにおける購入代金額と入金金額との同一性、更には、前記第３のステップにおける各雑誌と出版社におけるコンピュータ２４との対応関係を判断し易いから。）。
【００１０】
ホームページ１において、雑誌名又は識別符号及び購入代金に対応して、図３に示すように、購入回数１３が配列されている場合には、前記３段階のステップによって、前記購読予定者が選択する雑誌は、予めホームページ１に掲載された購読回数に従って、当該雑誌が購読予定者に対し送付され、購読予定者においては逐一個別に前記第１のステップを繰り返す必要がない点において極めて便利である。
【００１１】
雑誌の購読に関する契約は、あくまで購読予定者とホームページ開設者との間にて成立している以上、通常雑誌の送付に関するその後の事務処理は、出版社から直接購読予定者に送付されるのではなく、ホームページ開設者を介して購読予定者に送付されることになる。
【００１２】
このような状況を反映して、本発明は、ホームページ開設者が、出版社に対し、雑誌購読代金を入金することを前提としており、特に、第３のステップの後、ホームページ開設者におけるコンピュータ２２が、前記口座を統括しているコンピュータ２３に対し、ホームページに掲載されている金額による金員を出版社が設定している預金口座又は貯金口座に入金すべき旨の信号を送達するステップを付加した場合には、自動的な入金処理が可能となり、極めて便利である。
【００１３】
前記のような出版社に対する入金処理を自動的に行うためには、前記口座を統括しているコンピュータ２３に対し、口座の識別符号、入金先である出版社が設定している口座の識別符号、及び入金を依頼する旨の信号、更には、入金方法の識別信号（但し、大抵の場合は、電信による入金方法が選択されることになる。）、入金額に関する信号を送達することによって、前記自動処理を実現することができる。
【００１４】
前記（１）の構成において、第２のステップによる検索を実現するためには、
（ａ）図４のフローチャートに示すように、第１のステップにおいて、購読予定者が雑誌名又は識別符号と共に氏名又は名称を送達する際、カタカナ表示を採用するか、又は前記送達の後、ホームページ開設者におけるコンピュータ２２が、送達された氏名又は名称につきカタカナ変換を行ったうえで、第２のステップとして前記開設者におけるコンピュータ２２が前記口座を統括しているコンピュータ２３に対し、口座番号、第１のステップによる送達が行われた日を基準とする起算点となる日、カタカナ表示による氏名に関する信号、更には前記口座における検索を行うべき旨の信号を送達したことに基づき、前記口座を統括しているコンピュータ２３が、当該口座において前記起算日以後前記カタカナによる氏名又は名称の表示を有する者による入金処理の欄の存否を検索した後、入金処理が行われた場合の購入金額と入金による金額とが一致しているか否かの検索を行ったうえで、当該検索の結果をホームページ開設者におけるコンピュータ２２に送達する方法、
（ｂ）図５のフローチャートに示すように、第１のステップにおいて、購読予定者が雑誌名又は識別符号と共に氏名又は名称を送達する際、カタカナ表示を採用するか、又は前記送達の後、ホームページ開設者におけるコンピュータ２２が、送達された氏名又は名称につきカタカナ変換を行ったうえで、第２のステップとして前記開設者におけるコンピュータ２２が前記口座を統括しているコンピュータ２３に対し、口座番号、第１のステップによる送達が行われた日を基準とする起算点となる日に関する信号を送達することに基づき、前記口座を統括しているコンピュータ２３が、ホームページ開設者におけるコンピュータ２２に対し、前記口座において当該起算日以降の各欄に関する画像表示信号を送達したことに基づき、前記ホームページの開設者におけるコンピュータ２２が、前記画像信号を文字信号に変換したうえで、当該口座において前記起算日以後前記カタカナによる氏名又は名称の表示を有する者による入金処理の欄の存否を検索し、入金処理が行われた場合に、購入金額と入金による金額とが一致するか否かの検索を行う方法、
の何れかを選択すると良い。
【００１５】
図４、及び図５のフローチャートからも明らかなように、前記（１）における第２のステップは、ホームページ開設者におけるコンピュータ２２、及び前記口座を統括しているコンピュータ２３との協働によって自動的に遂行処理することが可能である。
【００１６】
前記（ａ）、（ｂ）の検索工程において、購読予定者から送達される氏名又は名称の表示として、予めカタカナ表示を行わせるか、又はホームページ開設者におけるコンピュータ２２が、漢字及び平仮名からカタカナ変換を行うのは、前記口座を統括しているコンピュータ２３において、入金を行った当事者、又は入金先の当事者について、何れもカタカナ表示による情報処理が行われていることに由来している。
【００１７】
ビジネス上の簡便性を考慮するならば、購読予定者が自らの指名を送達する際、予めカタカナ表示にて送達するよう、ホームページにおいて掲載しておくと良い。
【００１８】
但し、購読予定者において、必ずカタカナ表示にて氏名を送達するとは限らない場合を考慮するならば、ホームページ開設者におけるコンピュータ２２においては、漢字及び平仮名からカタカナ表示に変換するプログラムをセットしておくことが望ましい。
【００１９】
前記（ａ）、（ｂ）のように、ホームページ開設者におけるコンピュータ２２と、前記口座を統括しているコンピュータ２３との通信の交換によって、殆ど大抵の場合、購読予定者からの入金の有無を検索することが可能である。
【００２０】
但し、例外的に同一のカタカナ表示による購読予定者が、所定の期間中に購読の申込を行った場合、前記（ａ）、（ｂ）の検索では、例えば同一のカタカナ表示による２名の購読予定者からの第１のステップによる送達が行われた場合に、第２のステップによる検索において、その内の１名が入金を行ったことが確認されたとしても、何れの購読予定者が入金を行ったかを判別することができない。
【００２１】
しかしながら、このようなケースは極めて例外的であり、しかも事後処理が可能である以上、前記の例外的な現象は、前記（１）の基本構成における致命的な欠陥に該当する訳ではない。
【００２２】
前記（２）の構成においては、図６に示すように、第２のステップとして、購読予定者から入金伝票を画像スキャニングしたことによる画像情報をＥ−メールによって送達することによって購入代金の支払を確認しているが、当該確認過程においては、第１のステップにおいて、Ｅ−メールを送達したアドレス番号によって、同一のカタカナ表示による購読予定者が複数名いたとしても、当該Ｅ−メールアドレスによって、何れの購読予定者が入金を行ったかを確認することが可能となる。
【００２３】
但し、前記（２）の基本構成の場合には、購読予定者において、第１のステップによる情報の送達だけでなく、第２のステップとして入金を行った旨の送達を行うという負担を強いる点において、前記（１）の構成よりも、便宜性において、やや劣ることにならざるを得ない。
【００２４】
無論、前記（１）の構成に立脚したうえで、前記（２）の構成の入金伝票の画像スキャニングによる情報の送達をも付加する構成によって、同一のカタカナ表示による購読予定者が複数名出現した場合に備えることは、当然可能である。
【００２５】
このように、前記（１）の構成においては、購読予定者は、第１のステップによる送達を行った後、入金処理を行うことによって雑誌の購読を自動的に行うことが可能となり、前記（２）の構成においては、第１のステップによる信号の送達及び入金処理を行った後に、入金伝票の画像情報の送達によって、同様に選択した雑誌を購読することができる。
【００２６】
以下、実施例に即して説明する。
【実施例１】
【００２７】
実施例１は、雑誌の表面の画像表示と一体をなして雑誌名１をホームページ１において配列していることを特徴としている。
【００２８】
このような実施例１においては、購読予定者は、ホームページ１に掲載されている雑誌の表紙から、当該雑誌のイメージを連想したうえで、雑誌の選択を行うことが可能となる。
【実施例２】
【００２９】
実施例２は、ホームページ１において、各雑誌の名称表示部分に対応して、当該雑誌の内容の要約表示部分を掲載している。
【００３０】
このような各雑誌の内容を要約した表示部分の掲載によって、購読予定者は、購読予定の雑誌を内容に即して雑誌の購読を行う意義を考慮したうえで、必要な雑誌の選択を行うことが可能となる。
【実施例３】
【００３１】
実施例３は、ホームページ開設者において、第３のステップの後に、第１のステップによって選択された雑誌の表紙、各ページについて、画像スキャニングしたことによる映像信号をＥ−メールによって購読予定者のコンピュータに対し、送達するステップを付加したことを特徴としている。
【００３２】
実施例３においては、雑誌の現物を、出版社→ホームページ開設者→購読予定者の順序にて郵送又は宅配便による配送などを経ずに、予めホームページ開設者が出版社から取り寄せた雑誌を、Ｅ−メールの画像処理によって、直接購読することが可能となる。
【産業上の利用可能性】
【００３３】
本発明は、情報処理産業分野、更には出版に関連した分野などにおいて利用することが可能である。
【図面の簡単な説明】
【００３４】
【図１】前記（１）の構成による各ステップを示すブロック図である。
【図２】前記（２）の構成による各ステップを示すブロック図である。
【図３】ホームページに開設された雑誌名の表示部分、識別符号の表示部分、購読回数、及び購読金額の表示部分を示す平面図である。
【図４】前記（１）の構成において、第２のステップとして、前記（ａ）の検索を行うフローチャートである。
【図５】前記（１）の構成において、第２のステップとして、前記（ｂ）の検索を行うフローチャートである。
【図６】前記（２）の構成において、第２のステップの検索を行うフローチャートである。
【符号の説明】
【００３５】
１  ホームページ
１１  雑誌名の表示部分
１２  識別符号の表示部分
１３  購読回数の表示部分
１４  購読金額の表示部分
２１  購読予定者のコンピュータ
２２  ホームページ開設者におけるコンピュータ
２３  口座を統括しているコンピュータ
２４  出版社におけるコンピュータ
【図１】
2006164235.tif 000003
【図２】
2006164235.tif 000004
【図３】
2006164235.tif 000005
【図４】
2006164235.tif 000006
【図５】
2006164235.tif 000007
【図６】
2006164235.tif 000008